(57)【要約】【課題】多くのネックレスを用意することなく、洋服や使用する機会に対応して、さらに、個人の好みにも対応できるネックレスを提供する。【解決手段】環状をなして首周りを装飾するネックレスであって、環状部が複数のパーツに分けられており、各々のパーツの両端に互いに極性の異なる磁石を備えた連結部が設けられており、異なるパーツの極性の異なる連結部同士を磁着させることにより複数のパーツが連結されて１本のネックレスが形成される一方、異なるパーツ毎に極性の異なる連結部同士を磁着させることにより各パーツの両端が連結されて各パーツ毎に個別の装身具が形成されるネックレス。【選択図】図１
2017196017.tif 000002
【特許請求の範囲】
【請求項１】
環状をなして首周りを装飾するネックレスであって、
環状部が複数のパーツに分けられており、
各々の前記パーツの両端に互いに極性の異なる磁石を備えた連結部が設けられており、
異なるパーツの極性の異なる連結部同士を磁着させることにより複数のパーツが連結されて１本のネックレスが形成される一方、
異なるパーツ毎に極性の異なる連結部同士を磁着させることにより各パーツの両端が連結されて各パーツ毎に個別の装身具が形成されることを特徴とするネックレス。
【請求項２】
前記パーツが、環状部が２分された一対のパーツであることを特徴とする請求項１に記載のネックレス。
【請求項３】
前記一対のパーツの内、一方のパーツが、長さ４５〜５０ｃｍであって、両端の連結部同士を磁着させることにより、ショートネックレスが形成され、
他方のパーツが、長さ１５〜２０ｃｍであって、両端の連結部同士を磁着させることにより、ブレスレットが形成されることを特徴とする請求項２に記載のネックレス。
【発明の詳細な説明】
【技術分野】
【０００１】
本発明は、環状をなして首周りを装飾するネックレスに関する。
【背景技術】
【０００２】
ネックレスは首回りを装飾する装身具として一般的に使用されている。しかし、近年、ネックレスが醸し出す美感に対して人々の好みは多様化してきている。一方、ネックレスを使用する際の洋服の好みも多様化している。また、ネックレスを使用する機会も多くなっている。このため、洋服や使用する機会に応じた複数のネックレスを用意することが求められている。
【発明の概要】
【発明が解決しようとする課題】
【０００３】
しかしながら、このように、洋服や使用する機会に対応して多くのネックレスを用意することは、その費用を考えると容易なことではない。また、上記したように、ネックレスが醸し出す美感に対して人々の好みも多様化している。このため、洋服や使用する機会に対応することができ、さらに、多様化する個人の好みにも対応できるようなネックレスを提供することも容易ではなかった。
【０００４】
そこで、本発明は、多くのネックレスを用意することなく、洋服や使用する機会に対応して、さらに、個人の好みにも対応できるネックレスを提供することを課題とする。
【課題を解決するための手段】
【０００５】
本発明者は、上記課題の解決について鋭意検討した結果、以下の発明により上記課題が解決できることを見出し、本発明を完成するに至った。
【０００６】
請求項１に記載の発明は、
環状をなして首周りを装飾するネックレスであって、
環状部が複数のパーツに分けられており、
各々の前記パーツの両端に互いに極性の異なる磁石を備えた連結部が設けられており、
異なるパーツの極性の異なる連結部同士を磁着させることにより複数のパーツが連結されて１本のネックレスが形成される一方、
異なるパーツ毎に極性の異なる連結部同士を磁着させることにより各パーツの両端が連結されて各パーツ毎に個別の装身具が形成されることを特徴とするネックレスである。
【０００７】
請求項２に記載の発明は、
前記パーツが、環状部が２分された一対のパーツであることを特徴とする請求項１に記載のネックレスである。
【０００８】
請求項３に記載の発明は、
前記一対のパーツの内、一方のパーツが、長さ４５〜５０ｃｍであって、両端の連結部同士を磁着させることにより、ショートネックレスが形成され、
他方のパーツが、長さ１５〜２０ｃｍであって、両端の連結部同士を磁着させることにより、ブレスレットが形成されることを特徴とする請求項２に記載のネックレスである。
【発明の効果】
【０００９】
本発明によれば、多くのネックレスを用意することなく、洋服や使用する機会に対応して、さらに、個人の好みにも対応できるネックレスを提供することができる。
【図面の簡単な説明】
【００１０】
【図１】（ａ）〜（ｃ）は本発明の一実施の形態に係るネックレスを模式的に示す図である。
【図２】本発明の一実施の形態に係るネックレスを１本のネックレスとして使用したときの状態を説明する図である。
【図３】本発明の一実施の形態に係るネックレスを２つのパーツに分けて、ショートネックレスとブレスレットとして使用したときの状態を説明する図である。
【発明を実施するための形態】
【００１１】
以下、本発明を実施の形態に基づき、図面を用いて説明する。
【００１２】
１．本実施の形態に係るネックレス
図１（ａ）〜（ｃ）は本実施の形態に係るネックレスを模式的に示す図である。図１（ａ）（ｂ）に示すように本実施の形態に係るネックレスは、環状をなす部分（環状部）がパーツ１およびパーツ２の２つのパーツに分けられている。なお、図１ではパーツを２つとしているが、３つ以上でもよい。
【００１３】
これらのパーツ１、パーツ２は、それぞれが、紐状または鎖状であって、各パーツの両端には、互いに極性の異なる磁石を備えた連結部が設けられている。即ち、パーツ１においては連結部３ａと連結部３ｂの磁石の極性が異なっており、パーツ２においては連結部３ｃと連結部３ｄの磁石の極性が異なっている。
【００１４】
そして、パーツ１とパーツ２の極性の異なる連結部同士、即ち、連結部３ａと連結部３ｃ、連結部３ｂと連結部３ｄを磁着させることにより、２つの連結体（マグネットクラスプ）３を形成させてパーツ１とパーツ２とを連結することができるため、１本のネックレスとして使用することができる。
【００１５】
一方、本実施の形態では、各パーツの両端の連結部の極性が互いに異なっているため、図１（ｃ）に示すように、パーツ１、パーツ２の各パーツ毎に、極性の異なる連結部同士を磁着させることにより、各パーツの両端が連結されて各パーツ毎に個別の装身具を形成させて使用することもできる。具体的には、長い方のパーツ（図１ではパーツ１）をショートネックレスとして使用する一方で、短い方のパーツ（図１ではパーツ２）をブレスレットとして使用するというように、各パーツから個別の装身具を形成することができる。
【００１６】
さらに、本実施の形態に係るネックレスによれば、各々のパーツが磁石によって連結されるようになっているため、デザインの異なる他の実施の形態に係るネックレスのパーツとも容易に交換することができる。これにより、所有しているネックレスの本数が少なくても、各々のパーツを入れ替えることにより様々な外観のネックレスに自分でカスタマイズすることができる。
【００１７】
即ち、パーツの外観が異なる本発明のネックレスを２本所有している場合には２×２＝４種類の表現が可能になり、３本所有している場合には２×２×２＝８種類の表現が可能になる。また、本発明のネックレス自体を複数所有しておらず、デザインの異なるパーツのみを複数所有している場合でも、このパーツを適宜入れ替えることにより、様々な外観のネックレスにカスタマイズすることができる。
【００１８】
このように、本実施の形態に係るネックレスは、環状部を複数のパーツに分け各々のパーツから個別の装身具を形成すると共に、他のネックレスのパーツと組み合わせることによりネックレスの外観を自由にカスタマイズすることができることができるため、所有しているネックレスの本数が少なくても、多種多様な美感を醸し出すことが可能となり、使用している洋服や使用する機会に適切に対応することができると共に、個人の好みに対応することできる。
【００１９】
２．本実施の形態に係るネックレスの使用形態
次に、上記した図１に示したネックレスを挙げて、本実施の形態に係るネックレスの具体的な使用形態について説明する。
【００２０】
上記したように、本実施の形態に係るネックレスは、ショートネックレスとしても使用することができるパーツ１と、ブレスレットとしても使用することができるパーツ２とから構成されている。ショートネックレスとして使用可能なパーツ１の長さは、例えば、４５〜５０ｃｍであることが好ましく、ブレスレットとして使用可能なパーツ２の長さは１５〜２０ｃｍであることが好ましい。なお、各パーツは紐状に限定されず、鎖状であってもよい。
【００２１】
なお、一般に、ネックレスには、チョーカーサイズ、プリンセスサイズ、マチネサイズ、オペラサイズ、ロープサイズなどの様々なサイズがあるが、長尺のパーツ１をこれらのサイズに合わせた長さにすることもできる。また、パーツ１、２を連結させた１本のネックレスの長さがこれらのサイズになるように、各々のパーツ１、２の長さを設定してもよい。
【００２２】
なお、図１においては、パーツ１には、リボンの中間部にリボン結び体１ａが形成されており、リボン結び体１ａの中央には丸玉１ｂが連結された意匠が施されている。一方、パーツ２には、リボン結び体２ａ及び丸玉２ｂが交互に配置された意匠が施されている。
【００２３】
そして、これらのパーツ１、２は、マグネットクラスプを構成する各連結部同士、即ち、３ａと３ｃ、３ｂと３ｄの磁力によって環状をなす１本のネックレスに形成されている。なお、各連結部は、例えば、磁石を円盤状に加工し、この円盤状の磁石にカバーを取り付けることにより構成されていることが好ましい。このときの磁石としては、例えば、一般的な永久磁石が用いられる。
【００２４】
図２は本実施の形態に係るネックレスを１本のネックレスとして使用したときの状態を説明する図であり、図３は本実施の形態に係るネックレスを２つのパーツに分けて、ショートネックレスとブレスレットとして使用したときの状態を説明する図である。
【００２５】
図２に示すように、パーツ１とパーツ２とを連結部３ａ、３ｂ、３ｃ、３ｄ（図１参照）の磁力によって磁着させることにより、１本化させて環状でロングサイズのネックレスＡを形成させることができる。なお、このとき、パーツ１のリボン結び体１ａ（図１参照）および丸玉は首の後ろ側に位置することになり、後姿における１つのアクセントとなる。
【００２６】
そして、図３に示すように、パーツ１の両端に設けられた連結部３ａ、３ｂ（図１参照）同士を連結する一方、パーツ２の両端に設けられた連結部３ｃ、３ｄ（図１参照）同士を連結して、パーツ１、２のそれぞれを個別に使用するときには、パーツ１をショートネックレスとし、パーツ２をブレスレットとして使用することができる。
【００２７】
なお、このとき、ショートネックレスとして使用するパーツ１のリボン結び体および丸玉は、身体の正面に位置させることにより、ショートネックレスとしての華やかさを発揮させることができる。そして、パーツ１から形成されたショートネックレスと共に、パーツ２から形成されたブレスレットを使用することにより、使用しているアクセサリーに統一感を持たせることができる。
【００２８】
このように、本実施の形態によれば、パーツ１、２を連結することにより環状でロングサイズのネックレスを形成することができるだけでなく、各々のパーツを分けてショートネックレスとブレスレットを形成することもできるため、１本のネックレスで異なる２種類の美感を醸し出すことができる。
【００２９】
また、図示は省略するが、デザインの異なる他の実施の形態に係るネックレスを複数所有している場合には、複数のネックレス同士でパーツを交換することにより、さらに異なる美感を醸し出すこともできる。また、デザインの異なるパーツのみを複数所有している場合でも、各パーツを入れ替えることにより様々な美感を醸し出すことができる。
【００３０】
このように本実施の形態に係るネックレスは、使用者が自由にカスタマイズして、多種多様な美感を醸し出す装身具を形成することができるため、使用している洋服や使用する機会に適切に対応することができると共に、個人の好みに対応することできる。
【００３１】
なお、本実施の形態においては、環状部が２分されたネックレスを例に挙げて説明をしたが、環状部を分割する数は限定されない。例えば、環状部を３つ以上に分割した場合には、使用者が自由にカスタマイズして、さらに多種多様な美感を醸し出す装身具を作成することができる。
【００３２】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００３３】
１、２                    パーツ
１ａ、２ａ                リボン結び体
１ｂ、２ｂ                丸玉
３                        連結体
３ａ、３ｂ、３ｃ、３ｄ    連結部
Ａ                        ネックレス
【図１】
2017196017.tif 000003
【図２】
2017196017.tif 000004
【図３】
2017196017.tif 000005